(57)【要約】【課題】本考案は瓦形成時の工程で形成できる換気及び通風を利用した冷却システムを有する瓦であり、さらに通常の瓦施工方法と変わらない容易な施工法での屋根全面設置が可能である。この様な構成であるため、効率の良い換気及び冷却が可能である。【解決手段】本考案は、換気及び冷却システム瓦本体１の山部の裏側をへこませて形成された通気口２と、前記２の内部に表面積を稼ぎ、そこを通過する風を利用して冷却することを目的とした連続に突出して形成した３と、屋根に配置したとき通気口２内部に配置されるよう、突出して形成された防水壁４が設けられている。さらに瓦形成時と同時に形成でき、また屋根全面に容易な設置ができることにより換気及び冷却効率が優れ、且つ雨水などの浸入及び塵の蓄積、鳥類の栄巣などもなく長期間に渡って優れた換気及び冷却機能を維持することができ、制作及び施工性も容易な換気及び冷却システム瓦を提供することができる。【選択図】  図６
0003114679.tif 000002
【実用新案登録請求の範囲】
【請求項１】
屋根全体に冷却機能をもたせることのできる通風を利用した冷却システム瓦であって、瓦本体をへこませて形成された通気口と、前記通気口の内部に設置されるよう配置した、前記瓦本体の表面より突出して形成された防水壁と、前記通気口の通風部分に、表面積を稼ぐことにより放熱性を高める事を目的とした、連続に突出して形成された部分に前記通気口からの通風を利用し、冷却効果を高めた換気による冷却システム瓦。
【請求項２】
前記通気口内部に形成された放熱性を高めるシステムの形が、連続して成る凹凸であって、長方形である請求項１記載の換気による冷却システム瓦。
【請求項３】
前記瓦本体が有する機能を陶器材料のみで形成されたものである請求項１，２記載の換気による冷却システム瓦。
【考案の詳細な説明】
【技術分野】
【０００１】
本考案は、屋根全体に配置することによって、屋根面積全体での屋根裏空間の換気及び、個々の瓦に設けてある換気口内部に、冷却効率向上を目的とした連続になる凹凸を設け、そこに風を当てることによる、屋根面全体に設置された瓦を冷却することのできる冷却システム瓦に関するものである。
【背景技術】
【０００２】
建築物の屋根裏空間には、湿気や熱気が滞留しやすく、これらは居住性及び、建築物に使用されている建築資材等の熱による劣化や、湿気等によるカビなど、悪影響を及ぼすため適当な換気及び、放熱手段を設けることが必要である。このため、従来の屋根裏換気の手段としては、屋根の軒先部分、棟部分、また、瓦施工部分に設置するさまざまな換気手段が実施されている。
【０００３】
前記、換気手段の例として、特公平７−７４５２１号広報などに開示されている小屋裏換気、あるいは、特公平１２−１４５０３６号広報などに開示されている換気瓦などがある。
【０００４】
前記、特公平７−７４５２１号広報に開示されている小屋裏換気瓦は、瓦葺き屋根の面に取り付けて屋根裏換気を行うものであり、自然換気による優れた換気効果があり、また、雨水浸入防止機能も備えている。
【０００５】
また、特公平１２−１４５０３６号広報に開示されている換気瓦は、瓦本体に換気孔を設け、一部分に設置することにより屋根裏換気をし、また、排気口付の防水カバーを被せているので、雨水浸入防止機能も備えている。
【特許文献１】特公平１２−１４５０３６号広報
【考案の開示】
【考案が解決しようとする課題】
【０００６】
従来の換気瓦を使用する際、換気瓦本体の他に、別資材、ボンド及びカバー等が必要であり、屋根全体に葺設するものではなく、一部に配置される換気瓦である。また、屋根全面に配置したとしても、経済的負担、労働的負担及び、屋根の重量的負担も大きく、外観的な美観、すなわち、換気孔によるカバーなどによる凹凸が気になる。さらに、一部分配置による換気だけでは換気効率や、十分な通気性も確保するのは困難である。また、複雑な形をしているので制作が困難であり、さらに、設置するのも別資材が必要なので面倒である。さらに換気のみによる放熱効果や冷却効果も期待できない。
【０００７】
従って、換気機能と、瓦裏側に冷却用に設けた連続に突出して形成して表面積を稼いだ部分に風を当てることによる冷却機能を一本化することにより、換気及び冷却機能の備わった瓦の制作が可能になり、さらに、瓦本体に部品等を付属しないので、軽量化及び施工時の作業軽減になる。また、屋根全面に設置できる冷却瓦であるので、屋根全面積による換気機能及び冷却機能を持たせることができる。さらに、制作も容易なものを提供することによって、前述の欠点を解決しようとするものである。
【課題を解決するための手段】
【０００８】
前記課題を解決するため、本考案の通風を利用した冷却瓦は、瓦屋根の全体に配置するものであって、瓦本体を凹ませて形成された通気口と通気口内部に設置されるよう配置した、突出して形成された防水壁と、瓦裏面の通気口となる部分に通風を利用して冷却するシステム、すなわち、表面積を稼ぐため連続に突出して形成された凹凸を設置したものを特徴とする。
【０００９】
このような構成にすることにより、外気の空気は、瓦本体に形成された通気口を通過して、さらに、瓦裏側に配置した、表面積を稼ぐための場所を通過し、さらに、瓦本体裏側を通過する。この工程中に温められた空気は、屋根面全体に配置された同じ構造を持つ瓦の上部の通気口から大気中へ排出される。すなわち、瓦本体の外気から通気口、瓦本体の裏側及び、屋根面上部に設置された瓦の通気口に至る空気流通路が形成される。したがって、本考案の通風を利用した冷却システム瓦を屋根の全面に配置することにより、屋根裏空間の空気を大気中へ効率的に排出することが可能となり、優れた換気機能及び冷却機能効果が得られる。
【００１０】
また、通気口内部には、冷却効率を良くする為に、表面積を稼ぐ事を目的として形成された連続に突出した凹凸が設置されている。前記箇所に外気からの通風が通過すれば、直射日光によって熱せられた瓦の表面温度を効率的に瓦裏側で冷却することができる。
【００１１】
さらに、前記冷却用に形成した連続な凹凸は、通風するよう設けた開口部の端部まで形成しているので、冷却用途だけではなく、屋根裏への異物混入防止、あるいは鳥類の栄巣を阻止する事にも役立っており、塵などが開口部周辺に蓄積されること無く、長期間にわたって優れた換気性及び通風による冷却効果を維持することができる。
【００１２】
また、瓦本体を凹ませて形成された換気口を有する瓦本体と、その凹ませた箇所に形成した冷却用に設けた連続に突出して形成された凹凸のシンプルな構造であるため、瓦本体の制作は容易である。したがって、制作コストを低減すること、さらに、施工においても瓦本体のみでの設置で換気及び冷却システムを構築できるので、施工によるコスト低減にも貢献できる。
【考案の効果】
【００１３】
上述の様に、本考案の開口部からの通風を利用した冷却システム瓦は、瓦単体による雨水浸入防止機能は勿論、凹凸のない換気孔になる開口部を設けたので外観上の美観的機能も満たす。さらに、換気孔になる開口部を瓦本体内部に設けているので、瓦を屋根に設置していくという作業工程のみで、屋根面全体に換気孔になる開口部を設けることができる。
さらに、冷却用に形成した凹凸部分を瓦の裏側に設けたことにより、開口部の通風する部分の表面積を稼ぐことにより、直射日光によって温められた瓦表面の熱を瓦の裏側、すなわち、屋根裏まで伝導する前に、前記冷却用に設けた凹凸に風を通過させることによる放熱、冷却することができる。
【００１４】
さらに、冷却用に設けた、突出して形成された凹凸が換気孔の開口部入り口まで形成されている。よって、開口部からの異物侵入、塵等の蓄積、鳥類の栄巣等を長期間防止することができる。さらに、屋根面全体に葺設できる前記瓦であるので、屋根面全面積による換気及び冷却することができる。
【考案を実施するための最良の形態】
【００１５】
前記、冷却システム瓦本体を、通常の瓦を葺設する様に、屋根面軒先に垂直になるよう配置し、瓦本体上部に設けた固定用の穴に、ねじを打ち込み固定する。そして、同じに形成した冷却システム瓦の瓦本体裏側に設けた、凹ませて形成した換気孔になる開口部分を、前記固定した瓦の上部に突出して形成した防水壁の上に配置し、固定する。この作業を屋根面上部に向かって連続に施工していく。すると、屋根面に設置された個々の冷却システム瓦の換気孔が屋根面積全体に設置される。よって瓦屋根全面による換気及び冷却が可能になる。
【実施例】
【００１６】
以下、添付図面に従って一実施例を説明する。図１は実施の形態である換気、通風を利用した冷却システム瓦を示す姿図、図２は前記冷却システム瓦の底面図、図３は前記冷却システム瓦の正面図、図４は図３のＡ−Ａ線における断面図、図５は図３のＢ−Ｂ線における断面図、図６は図１による冷却システム瓦の実施図である。
【００１７】
本実施形態の冷却システム瓦本体１は、瓦本体２部分をへこませて形成された通気口２と、通気口２を通過する風で瓦本体１を冷却できるように、表面積を稼ぐことを目的とした連続に突出して形成された３と、通気口内部に設置されるよう、瓦本体１表面上部に突出して形成した防水壁４を備えている。
【００１８】
また、瓦本体１を屋根に配置したとき低位置に向かって開口するよう通気口２が形成されているので、外気の吸入及び排気にいたる空気流通路が形成されている。
【００１９】
さらに、瓦本体１を屋根に配置したときに通気口２を設置した部分が瓦本体１の山部に裏側にあるので、水流的に通気口２の開口部に水が通りにくい。さらに、通気口２内部には防水壁４が設置されている。よって、漏水防止効果が高い。
【００２０】
冷却システム瓦は、この様な構成であるため、図５、６に示すように、外気からの通風を受けて、瓦本体１に形成された通気口２を通過しながら、通気口内部に設置した、冷却用に形成された３部分の熱を含みながら通過する。そして、温められた内部の空気は瓦本体１の裏面側を上部に向かって上昇し、前記、瓦本体１よりも屋根面上部に設置した同じ構造を持つ冷却システム瓦の通気口２から大気中へと排気される。すなわち、通気口２は外気の吸入及び排気の同時進行が可能でもある。よって、瓦本体１を設置した裏面側の屋根全体の空気流通路が無駄なく形成される。
【００２１】
したがって、換気及び冷却システム瓦本体１を瓦屋根の全体に、通常の瓦と変わりない施工方法で仕上げていくと、屋根裏空間の空気を大気中へ効率的に排出することが可能となり、優れた換気効果が得られる。さらに、屋根面全体に設置する冷却システム瓦なので、換気と同時に屋根瓦全体での冷却効果も得られる。
【００２２】
また、冷却システム瓦本体１の場合、通気口２内部に設置されるよう突出して形成された防水壁４を覆うように形成されている通気口２であるため、雨天などの際に雨水が浸入する恐れがない。さらに、換気孔及び冷却機能の備わった通気口２は、屋根に設置したときに開口部が低位置に向かって配置されるよう形成され、さらに、山部でもあるので塵などが蓄積することなく長期間に渡って優れた換気及び冷却機能を維持することができる。
【００２３】
このように、冷却システム瓦本体１は、瓦本体１をへこませて形成した通気口２を有する瓦本体１のみで形成されたシンプルな構造であるため、制作は容易であり、制作コストも低い。本実施形態の冷却システム瓦１は瓦を形成するときに用いるプレス機のみで形成できるので制作は容易である。
【００２４】
また、本実施形態の冷却瓦本体１において、通気口２部分内に形成された冷却用の凹凸３は通気口２の端部まで形成されているので、開口部によるルーバー的な役割も果たす。よって、落ち葉や、小さな虫あるいは、鳥類の栄巣も阻止できる。また、雨の侵入も凹凸３の開口部分で阻止できる。この様に冷却用に設けた３は長期間に渡り換気及び冷却機能を維持することができる。
【００２５】
一方、冷却システム瓦本体１において、すべての機能を有する冷却システム瓦１は、瓦を形成する材料のみで形成するため、外観上目立たず、建物の美観を損なうおそれもない。
【図面の簡単な説明】
【００２６】
【図１】通風を利用した冷却システム瓦本体の姿図
【図２】図１に示す冷却システム瓦本体の底面図
【図３】図１に示す冷却システム瓦本体の正面図
【図４】図３のＡ−Ａ線における断面図
【図５】図３のＢ−Ｂ線における断面図
【図６】図１に示す冷却システム瓦の実施図
【符号の説明】
【００２７】
１  冷却システム瓦本体
２  通気口
３  冷却用の凹凸
４  防水壁
【図１】
0003114679.tif 000003
【図２】
0003114679.tif 000004
【図３】
0003114679.tif 000005
【図４】
0003114679.tif 000006
【図５】
0003114679.tif 000007
【図６】
0003114679.tif 000008